(57)【要約】【課題】本体ユニットとカメラモジュール間の制御信号通信において、カメラモジュールから出力される応答信号の即時性を保つとともに本体ユニットの処理負荷を低減することが可能な撮像装置を提供する。【解決手段】信号処理回路２０４は、サブＣＰＵ２１２で取得されたカメラモジュール２０の状態情報を画像信号の垂直帰線期間に重畳させ、メインＣＰＵ１１は、この重畳された状態情報を画像信号から抽出して表示部１２に表示させる。【選択図】図３
2005341034.tif 000002
【特許請求の範囲】
【請求項１】
内蔵する撮影手段により取得された画像信号に同期信号を重畳させる信号処理手段を含むカメラモジュールと、このカメラモジュールから出力された画像信号を前記同期信号に基づいて処理する制御手段を含む本体ユニットと、を備えた撮像装置において、
前記カメラモジュールは、前記同期信号を生成する同期信号生成手段と、前記画像信号を前記本体ユニットに出力する出力手段と、前記カメラモジュールの状態を示す状態情報を取得する状態情報取得手段と、を備え、
前記信号処理手段は、前記取得された状態情報を前記画像信号に重畳させ、
前記制御手段は、前記重畳された状態情報を前記画像信号から抽出することを特徴とする撮像装置。
【請求項２】
前記信号処理手段は、前記同期信号の垂直帰線期間に前記状態情報を前記画像信号に重畳させることを特徴とする請求項１に記載の撮像装置。
【請求項３】
前記信号処理手段は、前記同期信号の水平帰線期間に前記状態情報を前記画像信号に重畳させることを特徴とする請求項１に記載の撮像装置。
【請求項４】
前記本体ユニットは、画像信号を表示する表示手段をさらに備え、
前記制御手段は、前記抽出された状態情報を前記表示手段に表示させる制御を行うことを特徴とする請求項１に記載の撮像装置。
【発明の詳細な説明】
【技術分野】
【０００１】
本発明は、被写体を撮影して画像データを出力する撮像装置に関する。
【背景技術】
【０００２】
近年、デジタルカメラ等の撮像装置は、いつでも簡易に撮像を行うことができる点が評価されて一般に広く普及している。このような撮像装置は、被写体を撮像して画像信号を出力するカメラモジュールと、この出力された画像信号の記録及び表示等を行う撮像装置本体（以下、本体ユニットという）と、に大別することが可能である。
【０００３】
上記した構成では、カメラモジュールを制御する制御信号が本体ユニットのＣＰＵ（Central Processing Unit）等から出力されて、この制御信号に基づいてカメラモジュールの制御が行われる。この本体ユニットとカメラユニット間の制御信号の形態としては、シリアル通信系のインターフェースが多く用いられており、例えば、ＵＡＲＴ（Universal Asynchronous Receiver Transmitter）、ＵＳＢ（Universal Serial Bus）、Ｉ２Ｃ（登録商標）等のインターフェースが用いられている。ここで、ＵＡＲＴ、ＵＳＢを用いた場合、本体ユニットとカメラモジュールとは相互に通信を仕掛けることが可能であるが、Ｉ２Ｃを用いた場合には、本体ユニットからカメラモジュールに対してのみ通信を仕掛けることとなる。
【０００４】
例えば、カメラモジュールが自動合焦機能を有しているような場合、カメラモジュールのＡＦ（オートフォーカシング）の判定結果情報は、先に説明したシリアル通信系のインターフェースを介して本体ユニットに出力されることになる。なお、シリアル通信系のインターフェースにＩ２Ｃを用いた場合、本体ユニットからカメラモジュールに対し、ＡＦの判定結果情報を出力させる旨の通信が仕掛けられた場合にのみ、カメラモジュールからＡＦの判定結果情報が出力されることになる。従来、出力されたＡＦの判定結果情報をユーザが知覚できる形でＬＣＤ等の表示装置に表示することにより、オートフォーカス機能における検知対象領域およびフォーカシングの判定結果を、具体的にユーザに提示する電子カメラが提案されている（例えば、特許文献１参照）
【特許文献１】特開２０００−３１１３２８号公報
【発明の開示】
【発明が解決しようとする課題】
【０００５】
上記したＩ２Ｃのような一方からしか通信を仕掛けることができないシリアル通信系のインターフェースを用いた場合、カメラモジュールは、本体ユニットからの問い合わせに対してのみ応答することが可能であるため、カメラモジュールで比較的時間を要する処理が行われているような場合には、本体ユニットはカメラモジュールでの処理が終了する迄待機するか、或いは一定時間毎にカメラモジュールでの処理が完了したか否かを監視する必要がある。ここで、本体ユニットが、カメラモジュールでの処理の完了を待機するような場合、本体ユニットは、カメラモジュールでの処理が完了するまでの間、次の処理を実行することができないため、他の処理の実行に影響を及ぼす可能性がある。また、一定時間毎に監視を行うような場合、頻繁に監視を行うと本体ユニットでの他の処理の実行に影響を及ぼす可能性があるため、ある程度の時間間隔毎に監視をおこなう必要があり、そのことにより、カメラモジュールから出力される応答信号の即時性が損なわれる可能性がある。
【０００６】
また、特許文献１に記載の電子カメラは、ＡＦの判定結果情報を表示装置に表示することとしているが、上記した課題を考慮した構成としていなため、ＡＦの判定結果情報の即時性が損なわれる可能性がある。
【０００７】
本発明の課題は、本体ユニットとカメラモジュール間の制御信号通信において、カメラモジュールから出力される応答信号の即時性を保つとともに本体ユニットの処理負荷を低減することが可能な撮像装置を提供することである。
【課題を解決するための手段】
【０００８】
上記課題を解決するために、請求項１に記載の発明は、
内蔵する撮影手段により取得された画像信号に同期信号を重畳させる信号処理手段を含むカメラモジュールと、このカメラモジュールから出力された画像信号を前記同期信号に基づいて処理する制御手段を含む本体ユニットと、を備えた撮像装置において、
前記カメラモジュールは、前記同期信号を生成する同期信号生成手段と、前記画像信号を前記本体ユニットに出力する出力手段と、前記カメラモジュールの状態を示す状態情報を取得する状態情報取得手段と、を備え、
前記信号処理手段は、前記取得された状態情報を前記画像信号に重畳させ、
前記制御手段は、前記重畳された状態情報を前記画像信号から抽出することを特徴としている。
【０００９】
ここで、「同期信号」とは画像信号を表示する際に必要となる、画面垂直方向及び水平方向のタイミングを計るための同期信号であって、垂直同期信号及び水平同期信号を含んでいる。また、「状態情報」とは、カメラモジュールの状態を示す情報であって、例えば、ＡＦの判定結果情報や、エラー情報、ストロボ充電処理等の特定の処理の進行状況等を示す情報である。
【００１０】
請求項２に記載の発明は、請求項１に記載の発明において、
前記信号処理手段は、前記同期信号の垂直帰線期間に前記状態情報を前記画像信号に重畳させることを特徴としている。
【００１１】
請求項３に記載の発明は、請求項１に記載の発明において、
前記信号処理手段は、前記同期信号の水平帰線期間に前記状態情報を前記画像信号に重畳させることを特徴としている。
【００１２】
請求項４に記載の発明は、請求項１に記載の発明において、
前記本体ユニットは、画像信号を表示する表示手段をさらに備え、
前記制御手段は、前記抽出された状態情報を前記表示手段に表示させる制御を行うことを特徴としている。
【発明の効果】
【００１３】
請求項１に記載の発明によれば、信号処理手段は、カメラモジュールの状態情報を画像信号に重畳させ、表示制御手段は、この重畳された状態情報を画像信号から抽出する。このことにより、本体ユニット側からのみ通信を仕掛けることが可能なインターフェースを本体ユニットとカメラモジュールとの間に採用した場合であっても、待機や定期的な監視を行う必要がないため、カメラモジュールから出力される応答信号の即時性を保つとともに本体ユニットの処理負荷を低減することが可能となる。
【００１４】
請求項２に記載の発明によれば、信号処理手段は、同期信号の垂直帰線期間に状態情報を前記画像信号に重畳させる。このことにより、垂直同期信号の垂直帰線期間に状態情報を本体ユニットに出力することが可能となるため、本体ユニット側からのみ通信を仕掛けることが可能なインターフェースを本体ユニットとカメラモジュールとの間に採用した場合であっても、待機や定期的な監視を行う必要がないため、カメラモジュールから出力される応答信号の即時性を保つとともに本体ユニットの処理負荷を低減することが可能となる。
【００１５】
請求項３に記載の発明によれば、信号処理手段は、同期信号の水平帰線期間に状態情報を前記画像信号に重畳させる。このことにより、水平同期信号の水平帰線期間に状態情報を本体ユニットに出力することが可能となるため、本体ユニット側からのみ通信を仕掛けることが可能なインターフェースを本体ユニットとカメラモジュールとの間に採用した場合であっても、待機や定期的な監視を行う必要がないため、カメラモジュールから出力される応答信号の即時性を保つとともに本体ユニットの処理負荷を低減することが可能となる。
【００１６】
請求項４に記載の発明によれば、制御手段は、抽出された状態情報を表示手段に表示させる。このことにより、表示手段を介してカメラモジュールの状態を確認することが可能となる。
【発明を実施するための最良の形態】
【００１７】
以下、本発明の撮像装置を、カメラ機能を有した撮像装置付き携帯電話機１０に適用した例を、図１〜図３を参照して詳細に説明する。
【００１８】
図１に携帯電話機１０の機能的構成を示す。図１に示すように、携帯電話機１０は、メインＣＰＵ（Central Processing Unit）１１、表示部１２、入力部１３、ＲＡＭ（Random Access Memory）１４、通信制御部１５、記憶部１６、音声入出力部１７、電源部１８、カメラモジュール２０等を備えて構成され、各部はバス１９により接続されている。ここで、カメラモジュール２０が特許請求の範囲に記載のカメラモジュールであり、携帯電話機１０からカメラモジュール２０を除いたものが特許請求の範囲に記載の本体ユニットである。
【００１９】
メインＣＰＵ１１は、記憶部１６に記憶されているシステムプログラムを読み出し、ＲＡＭ１４内に形成されたワークメモリに展開し、該システムプログラムに従って各部を制御する。また、メインＣＰＵ１１は、記憶部１６に記憶されている各種処理プログラムやメールソフト等のアプリケーションプログラムを読み出してワークメモリに展開し、各種処理を実行し、それらの処理結果をＲＡＭ１４内のワークメモリに記憶すると共に表示部１２に表示させる。そして、ワークメモリに格納した処理結果を記憶部１６内の指定の保存先に保存させる。
【００２０】
また、メインＣＰＵ１１は、シリアル通信Ｉ／Ｆ２１３を介してカメラモジュール２０のサブＣＰＵ２１２に制御信号を出力し、また、カメラモジュール２０からシリアル通信Ｉ／Ｆ２１３を介して出力される制御信号を受信すると、当該制御信号に基づいて携帯電話機１０の各部の制御を行う。
【００２１】
また、メインＣＰＵ１１は、カメラモジュール２０から画像出力Ｉ／Ｆ２０６を介して出力される画像信号を画像信号に重畳された同期信号のタイミングに基づいて表示部１２に表示させる、いわゆるファインダー機能を実現させる。このファインダー機能により、ユーザは表示部１２を介してカメラモジュール２０が撮影している領域を、即時確認することができる。なお、本実施の形態では、１／３０秒毎に１画面分の画像信号がカメラモジュール２０から出力されることとする。
【００２２】
また、メインＣＰＵ１１は、画像信号に重畳されたカメラモジュール２０の状態情報を抽出し、この状態情報に基づいて携帯電話機１０の各部を制御したり、状態情報を表示部１２に表示させたりする。
【００２３】
また、メインＣＰＵ１１は、カメラモジュール２０から画像出力Ｉ／Ｆ２０６を介して出力されるＪＰＥＧ（Joint Photographic Expert Group）画像データを画像出力Ｉ／Ｆ２０６を介して受信すると、このＪＰＥＧ画像データを記憶部１６に記憶させる。また、記憶部１６に記憶されたＪＰＥＧ画像データを表示部１２に表示させる。
【００２４】
表示部１２は、ＬＣＤ（Liquid Crystal Display）パネル等により構成され、メインＣＰＵ１１から入力される表示データに基づいて画面表示を行う。
【００２５】
入力部１３は、カーソルキー、文字／数字キー、各種機能キー等を有し、そのキー操作による押下信号をメインＣＰＵ１１に出力する。
【００２６】
ＲＡＭ１４は、バッファとして各種プログラムや処理中のデータ、処理結果などを一時的に記憶するワークエリアを形成する。
【００２７】
通信制御部１５は、不図示のアンテナを含む無線通信部で構成され、メインＣＰＵ１１から入力される指示に従って、無線基地局を介して通信ネットワークＮ上の各機器と各種情報を送受信する。
【００２８】
記憶部１６は、フラッシュメモリなどの不揮発メモリ等により構成され、携帯電話機１０に対応するシステムプログラム、及び該システムプログラム上で実行可能な各種処理プログラム、アプリケーションプログラム及びこれらのプログラムで処理されたデータ等を記録する。
【００２９】
また、記憶部１６は、カメラモジュール２０から画像出力Ｉ／Ｆ２０６を介して出力されるＪＰＥＧ画像データを記憶する。
【００３０】
音声入出力部１７は、マイク、スピーカ、増幅器、Ａ／Ｄ変換部、及びＤ／Ａ変換部等を有し、マイクから入力されるユーザの音声信号をデジタル音声情報に変換し、その音声情報をメインＣＰＵ１１に出力するとともに、受話中にメインＣＰＵ１１から入力される音声情報や、着信音、操作確認音等の音声情報をアナログの音声信号に変換して増幅し、スピーカから出力する。
【００３１】
電源部１８は、電源用回路や充電池等により構成され、メインＣＰＵ１１から入力される指示に基づいて、携帯電話機１０が有する各機能部への電源供給を行う。
【００３２】
カメラモジュール２０は、図２に示すように、撮影光学系２０１、ＣＣＤ（Charge-Coupled Device）２０２、Ａ／Ｄ回路２０３、信号処理回路２０４、同期信号生成回路２０５、画像出力Ｉ／Ｆ２０６、画像生成部２０７、アクチュエータ２０８、ストロボ２０９、記憶部２１０、電源回路２１１、サブＣＰＵ２１２、シリアル通信Ｉ／Ｆ２１３等から構成されている。
【００３３】
撮影光学系２０１は、被写体の光画像を結像させるものであり、被写体に合焦させるためのフォーカスレンズ（不図示）等を有して構成されている。
【００３４】
ＣＣＤ２０２は、撮影光学系２０１によって受光面上に結像された被写体像を電気信号に変換して、アナログの画像信号としてＡ／Ｄ回路２０３に出力する。なお、本実施の形態では、ＣＣＤを用いることとしたが、これに限らず、ＣＭＯＳ（Complementary Metal Oxide Semiconductor）センサ等であってもよい。
【００３５】
Ａ／Ｄ回路２０３は、ＣＣＤ２０２から出力されたアナログ画像信号をデジタルの画像信号に変換し、信号処理回路２０４に出力する。
【００３６】
信号処理回路２０４は、Ａ／Ｄ回路２０３から出力された画像信号に対して、例えば、ＹＵＶデータに変換、ガンマ補正、ホワイトバランス補正等の処理を施すとともに、同期信号生成回路２０５から出力される同期信号を重畳して画像出力Ｉ／Ｆ２０６又は画像生成部２０７に出力する。
【００３７】
同期信号生成回路２０５は、表示部１２に画像を表示する際に必要となる、画面垂直方向及び水平方向のタイミングを計るための垂直同期信号及び水平同期信号を生成する。
【００３８】
画像出力Ｉ／Ｆ２０６は、信号処理回路２０４から出力される画像信号を本体ユニットのメインＣＰＵ１１に出力するためのインターフェースであり、一方向の高速なバスによってメインＣＰＵ１１を接続されている。また、画像出力Ｉ／Ｆ２０６は、画像生成部２０７から出力されるＪＰＥＧ画像データをメインＣＰＵ１１に出力するためのインターフェースである。
【００３９】
画像生成部２０７は、信号処理回路２０４から出力された画像データに対しＪＰＥＧ方式に準拠した圧縮方式で圧縮処理を施し、生成されたＪＰＥＧ画像データを画像出力Ｉ／Ｆ２０６に出力する。なお、本実施の形態では、ＪＰＥＧ方式に準拠したＪＰＥＧ画像データを生成することとしたが、これに限らず、他の方式に準拠した画像データを生成することとしてもよいし、サムネイル画像等の縮小画像を生成することとしてもよい。
【００４０】
アクチュエータ２０８は、不図示のフォーカスモータと、フォーカスドライバ等を有しており、フォーカスドライバは、サブＣＰＵ２１２から入力される制御信号に応じて、フォーカスモータを駆動して、撮影光学系２０１のフォーカスレンズを光軸方向に駆動させる。
【００４１】
ストロボ２０９は、サブＣＰＵ２１２の制御により被写体に発光タイミングや発光量が調節されたストロボ光を発光する。また、ストロボ２０９は、ストロボ光を発光させるための電荷を蓄積するコンデンサと、コンデンサを充電する充電回路と、キセノン管等からなる発光部（何れも図示せず）とを備えており、電源回路２１１から供給される電流が充電回路に供給されて、コンデンサに発光エネルギーとなる電荷が蓄積される。
【００４２】
記憶部２１０は、フラッシュメモリなどの不揮発メモリ等により構成され、カメラモジュール２０の各部の制御に必要なプログラムコード及び各種制御パラメータが記憶されている。
【００４３】
電源回路２１１は、図１に示した電源部１８から供給される電力の電圧調整等を行い、サブＣＰＵ２１２の制御に応じて、カメラモジュール２０の各部位に電力供給を行う。
【００４４】
サブＣＰＵ２１２は、記憶部２１０に記憶されたプログラムコードに従ってカメラモジュール２０の各部の制御を行うとともに、シリアル通信Ｉ／Ｆ２１３を介してメインＣＰＵ１１から出力される制御信号に基づいてカメラモジュール２０の各部の制御を行う。
【００４５】
また、サブＣＰＵ２１２は、カメラモジュール２０の各部から、該各部の状態を示す情報を取得して、状態情報として信号処理回路２０４に出力する。なお、ここで状態情報とは、例えば、アクチュエータ２０８のＡＦの判定結果情報や、カメラモジュール２０各部のエラー情報、ストロボ２０９の充電処理等、特定の処理の進行状況等である。
【００４６】
シリアル通信Ｉ／Ｆ２１３は、Ｉ２Ｃ規格に準拠したシリアル通信インターフェースであって、サブＣＰＵ２１２から入力される各種信号をメインＣＰＵ１１に出力するとともに、メインＣＰＵ１１から入力される制御信号をサブＣＰＵ２１２に出力する。
【００４７】
次に、本実施の形態の動作を実施例１及び実施例２に分けて説明する。
【００４８】
＜実施例１＞
撮影光学系２０１、ＣＣＤ２０２を介して取り込まれたアナログ画像信号は、Ａ／Ｄ回路２０３にてデジタルの画像信号に変換された後、信号処理回路２０４に出力される。信号処理回路２０４では、Ａ／Ｄ回路から出力された画像信号に対し同期信号生成回路２０５で生成された同期信号が重畳されるとともに、同期信号の垂直帰線期間にサブＣＰＵから出力された状態情報が画像信号に重畳される。
【００４９】
図３（ａ）に、本実施例１の信号処理回路２０４で画像信号に重畳された状態情報を示す。図３（ａ）の上図は、画像信号に重畳された同期信号の垂直同期信号を示しており、その同期間隔は１／３０秒となっている。図３（ａ）の下図は、信号処理回路２０４で処理が施された画像信号を示している。ここで、垂直同期信号がＨｉｇｈの期間（図中Ｈで示した期間）毎に、１画面分の画像信号（以下、画像データという）が出力されるとともに、垂直同期信号がＬｏｗの期間（図中Ｌで示した期間：垂直帰線期間）毎に、画像信号に状態情報が重畳されて本体ユニットに出力される。
【００５０】
この画像信号が、画像出力Ｉ／Ｆ２０６を介して本体ユニットに入力されると、メインＣＰＵ１１により画像信号に含まれた画像データが表示部１２に表示されるとともに、当該画像信号から状態情報が抽出されて、その状態情報が表示部１２に表示される。例えば、カメラモジュール２０のストロボ充電の進み具合が、表示部１２に充電完了率としてパーセント（％）表示される。
【００５１】
このように、画像信号の垂直帰線期間にカメラモジュール２０の状態情報を重畳させて本体ユニットに出力することで、１／３０秒毎に状態情報を本体ユニットに出力することが可能となるため、カメラモジュール２０から出力される応答信号の即時性を保つことが可能となる。
【００５２】
なお、本実施例では、画像信号に重畳された垂直同期信号の垂直帰線期間に状態情報を重畳させることとしたが、これに限らず、画像信号に重畳された水平同期信号の水平帰線期間に状態情報を重畳させることとしてもよい。
【００５３】
＜実施例２＞
撮影光学系２０１、ＣＣＤ２０２を介して取り込まれたアナログ画像信号は、Ａ／Ｄ回路２０３にてデジタルの画像信号に変換された後、信号処理回路２０４に出力される。信号処理回路２０４では、Ａ／Ｄ回路から出力された画像信号に対し同期信号生成回路２０５で生成された同期信号が重畳されるとともにサブＣＰＵから出力された状態情報が、前記重畳された同期信号に基づいて画像信号に重畳される。
【００５４】
図３（ｂ）に、本実施例２の信号処理回路２０４で画像信号に重畳された状態情報を示す。図３（ｂ）の上図は、画像信号に重畳された同期信号の垂直同期信号を示しており、その同期間隔は１／３０秒となっている。図３（ｂ）の下図は、信号処理回路２０４で処理が施された画像信号を示している。
【００５５】
ここで、信号処理回路２０４により、垂直同期信号がＨｉｇｈの期間（図中Ｈで示した期間）に、画像データとサブＣＰＵ２１２から出力される状態情報とが交互に出力されるよう状態情報が画像信号に重畳されて本体ユニットに出力される。
【００５６】
この画像信号が、画像出力Ｉ／Ｆ２０６を介して本体ユニットに入力されると、メインＣＰＵ１１により画像信号に含まれた画像データが表示部１２に表示されるとともに、当該画像信号から状態情報が抽出されて、その状態情報が表示部１２に表示される。
【００５７】
このように、画像データと状態情報とが交互に出力されるよう状態情報を画像信号に重畳させて本体ユニットに出力することにより、表示部１２の画像表示の更新サイクルは、１／１５秒毎に１画面分となるが、１／３０秒毎に状態情報を本体ユニットに出力することが可能となるため、カメラモジュール２０から出力される応答信号の即時性を保つことが可能となる。
【００５８】
なお、本実施例２では、画像データと状態情報とが交互に出力されるよう状態情報を画像信号に重畳させたが、これに限らず、状態情報を任意のタイミングで画像信号に重畳させることとしてもよい。
【００５９】
＜変形例＞
上述の実施例では、画像信号の垂直帰線期間又は水平帰線期間に状態情報を重畳させて本体ユニットに出力するようにしたが、変形例では、画像信号の最下位ビットに状態情報を埋め込んで本体ユニットに出力する場合について説明する。
【００６０】
撮影光学系２０１、ＣＣＤ２０２を介して取り込まれたアナログ画像信号は、Ａ／Ｄ回路２０３にてデジタルの画像信号に変換された後、信号処理回路２０４に出力される。信号処理回路２０４では、Ａ／Ｄ回路から出力された画像信号に含まれる各画像データの画素のうち、色成分データが最下位のビットが状態情報用に割り付けられ、サブＣＰＵから出力された状態情報がビット単位に分割されて最下位ビットに埋め込まれる。例えば、状態情報が８ビットのデータであった場合、８画素のデータの中に埋め込まれることになる。そして、この画像信号に対し同期信号生成回路２０５で生成された同期信号が重畳され、本体ユニットに出力される。
【００６１】
この画像信号が、画像出力Ｉ／Ｆ２０６を介して本体ユニットに入力されると、メインＣＰＵ１１により画像信号に含まれた画像データが表示部１２に表示されるとともに、当該画像信号から状態情報が抽出されて、その状態情報が表示部１２に表示される。
【００６２】
このように、色成分データの最下位ビットに状態情報を埋め込むことにより、１／３０秒毎に状態情報を本体ユニットに出力することが可能となるため、カメラモジュール２０から出力される応答信号の即時性を保つことが可能となる。なお、画像データに状態情報を埋め込むことにより、画像データの画素のうち最下位ビットのビット構成が書き換えられてしまうが、色に対する人間の目の感度は低いため画像データの最下位ビットを書き換えたとしても、この変化を知覚される可能性は低い。
【００６３】
以上のように、本実施の形態によれば、信号処理回路２０４は、サブＣＰＵ２１２で取得されたカメラモジュール２０の状態情報を画像信号に重畳させ、メインＣＰＵ１１は、この重畳された状態情報を画像信号から抽出して表示部１２に表示させる。このことにより、本体ユニット側からのみ通信を仕掛けることが可能なインターフェースを本体ユニットとカメラモジュールとの間に採用した場合であっても、待機や定期的な監視を行う必要がないため、カメラモジュールから出力される応答信号の即時性を保つとともに本体ユニットの処理負荷を低減することが可能となる。
【００６４】
なお、本実施の形態では、同期信号生成回路２０５は、同期信号を垂直同期信号の１／３０秒毎に生成することとしたが、これに限らず、任意のタイミングで生成することとしてもよい。
【００６５】
本実施の形態における記述は、本発明に係る撮像装置の一例を示すものであり、これに限定されるものではない。本実施の形態における携帯電話機１０の細部構成及び詳細動作に関しては、本発明の趣旨を逸脱しない範囲で適宜変更可能である。
【００６６】
例えば、本発明の撮像装置を備えた装置として、カメラ機能を有した撮像装置つき携帯電話機１０を用いて説明したが、これに限らず、デジタルカメラやカメラ機能を有したＰＤＡ等であってもよい。
【図面の簡単な説明】
【００６７】
【図１】携帯電話機の機能的構成を模式的に示すブロック図である。
【図２】カメラモジュールの機能的構成を模式的に示すブロック図である。
【図３】（ａ）実施例１の信号処理回路で画像信号に重畳された状態情報を示す図である。（ｂ）実施例２の信号処理回路で画像信号に重畳された状態情報を示す図である。
【符号の説明】
【００６８】
１０  携帯電話機（撮像装置）
１１  メインＣＰＵ（制御手段）
１２  表示部（表示手段）
１３  入力部
１４  ＲＡＭ
１５  通信制御部
１６  記憶部
１７  音声入出力部
１８  電源部
１９  バス
２０  カメラモジュール（カメラモジュール）
２０１  撮影光学系
２０２  ＣＣＤ
２０３  Ａ／Ｄ回路
２０４  信号処理回路（信号処理手段）
２０５  同期信号生成回路（同期信号生成手段）
２０６  画像出力Ｉ／Ｆ（出力手段）
２０７  画像生成部
２０８  アクチュエータ
２０９  ストロボ
２１０  記憶部
２１１  電源回路
２１２  サブＣＰＵ（状態情報取得手段）
２１３  シリアル通信Ｉ／Ｆ
【図１】
2005341034.tif 000003
【図２】
2005341034.tif 000004
【図３】
2005341034.tif 000005